(57)【特許請求の範囲】
【請求項１】
疾病の種別、疾病の重症度、診療プロセス及び治療方法の少なくとも一つに応じた評点を規定する評点テーブルが格納されている記憶手段と、
ユーザの入力を受け付け可能な入力手段と、
前記入力手段を介して一の患者が指定された際に、複数の患者各々に係る疾病及び治療状況を示す患者情報を含む患者データベースから、前記指定された一の患者に対応する患者情報を抽出すると共に、前記指定された一の患者が複数の疾病に罹っていることを条件に、前記抽出された患者情報及び前記評点テーブルに基づいて、前記複数の疾病各々の評点を特定する特定手段と、
前記抽出された患者情報の少なくとも一部を疾病毎に、前記特定された評点に応じて、画面上に配置する出力手段と、
を備えることを特徴とする情報表示装置。
【請求項２】
前記出力手段は、前記特定された評点の高い疾病に係る患者情報ほど、前記画面の上部に配置することを特徴とする請求項１に記載の情報表示装置。
【請求項３】
疾病の種別、疾病の重症度、診療プロセス及び治療方法の少なくとも一つに応じた評点を規定する評点テーブルが格納されている記憶手段と、ユーザの入力を受け付け可能な入力手段と、を備える情報表示装置における情報表示方法であって、
前記入力手段を介して一の患者が指定された際に、複数の患者各々に係る疾病及び治療状況を示す患者情報を含む患者データベースから、前記指定された一の患者に対応する患者情報を抽出すると共に、前記指定された一の患者が複数の疾病に罹っていることを条件に、前記抽出された患者情報及び前記評点テーブルに基づいて、前記複数の疾病各々の評点を特定する特定工程と、
前記抽出された患者情報の少なくとも一部を疾病毎に、前記特定された評点に応じて、画面上に配置する出力工程と、
を備えることを特徴とする情報表示方法。
【請求項４】
疾病の種別、疾病の重症度、診療プロセス及び治療方法の少なくとも一つに応じた評点を規定する評点テーブルが格納されている記憶手段と、ユーザの入力を受け付け可能な入力手段と、を備える情報表示装置に搭載されたコンピュータを、
前記入力手段を介して一の患者が指定された際に、複数の患者各々に係る疾病及び治療状況を示す患者情報を含む患者データベースから、前記指定された一の患者に対応する患者情報を抽出すると共に、前記指定された一の患者が複数の疾病に罹っていることを条件に、前記抽出された患者情報及び前記評点テーブルに基づいて、前記複数の疾病各々の評点を特定する特定手段と、
前記抽出された患者情報の少なくとも一部を疾病毎に、前記特定された評点に応じて、画面上に配置する出力手段と、
として機能させることを特徴とするコンピュータプログラム。
【発明の詳細な説明】
【技術分野】
【０００１】
本発明は、例えば患者の診療情報等を表示する情報表示装置及び方法、並びにコンピュータプログラムの技術分野に関する。
【背景技術】
【０００２】
この種の装置として、例えば、一の患者についての複数日分の電子カルテ各々に係る診療データを、夫々対応する表示領域に表示することにより、複数日分の電子カルテを同一画面上に表示する装置が提案されている（特許文献１参照）。
【０００３】
或いは、時間軸を表すタイムラインと、人体の輪郭、及び該人体の内側に存在する解剖学的な構造物の模式図と、を同一画面上に表示し、タイムライン上で指定された期間内に患者が診察を受けた部位と、選択された解剖学的な構造物とが一致したことを条件に、検査情報を表示する装置が提案されている（特許文献２参照）。
【０００４】
或いは、外来カルテを管理する外来カルテ管理サーバ、及び入院カルテを管理する入院カルテ管理サーバ各々から、指定された検索条件に該当する患者情報を抽出して画面上に表示する装置が提案されている（特許文献３参照）。
【先行技術文献】
【特許文献】
【０００５】
【特許文献１】特開２０１３−０２５３３６号公報
【特許文献２】特開２０１２−２４７８８０号公報
【特許文献３】特開２０１２−２２６６３２号公報
【発明の概要】
【発明が解決しようとする課題】
【０００６】
一の患者が複数の疾病に罹り、該一の患者の治療を複数の医師が担当している場合、該一の患者の一の担当医が、他の医師が担当している疾病についての病状や治療の進行具合を考慮して、治療方針等を決定したいこともある。
【０００７】
このような場合、上述の特許文献１乃至３に記載の技術では、一の患者が罹っている複数の疾病に係る診療情報を一度に表示することはできないという技術的問題点がある。
【０００８】
本発明は、例えば上記問題点に鑑みてなされたものであり、一の患者が罹っている複数の疾病に係る診療情報を一度に表示することができる情報表示装置及び方法、並びにコンピュータプログラムを提供することを課題とする。
【課題を解決するための手段】
【０００９】
本発明の情報表示装置は、上記課題を解決するために、疾病の種別、疾病の重症度、診療プロセス及び治療方法の少なくとも一つに応じた評点を規定する評点テーブルが格納されている記憶手段と、ユーザの入力を受け付け可能な入力手段と、前記入力手段を介して一の患者が指定された際に、複数の患者各々に係る疾病及び治療状況を示す患者情報を含む患者データベースから、前記指定された一の患者に対応する患者情報を抽出すると共に、前記指定された一の患者が複数の疾病に罹っていることを条件に、前記抽出された患者情報及び前記評点テーブルに基づいて、前記複数の疾病各々の評点を特定する特定手段と、前記抽出された患者情報の少なくとも一部を疾病毎に、前記特定された評点に応じて、画面上に配置する出力手段と、を備える。
【００１０】
本発明の情報表示装置によれば、例えばハードディスク等の大容量記憶媒体である記憶手段には、疾病の種別、疾病の重症度、診療プロセス及び治療方法の少なくとも一つに応じた評点を規定する評点テーブルが格納されている。
【００１１】
評点は、例えば治療の難しい疾病程、疾病のステージ（病期、進行度）が高い程、高度な治療法である程、高くなるように設定すればよい。
【００１２】
例えばキーボード、マウス、タッチパネル等である入力手段は、ユーザの入力を受け付け可能に構成されている。
【００１３】
例えばメモリ、プロセッサ等を備えてなる特定手段は、ユーザにより入力手段を介して一の患者が指定された際に、患者データベースから、該指定された一の患者に対応する患者情報を抽出すると共に、該指定された一の患者が複数の疾病に罹っていることを条件に、該抽出された患者情報及び評点テーブルに基づいて、一の患者が現在罹っている複数の疾病各々の評点を特定する。
【００１４】
患者データベースは、複数の患者各々に係る疾病及び治療状況を示す患者情報を含むデータベースである。ここで、「疾病」は、例えば国際疾病分類等の公知の疾病管理における分類と同程度に細分化されている。「治療状況」には、診療プロセス及び治療方法に限らず、例えば治療期間、検査値、治療履歴等も含まれる。
【００１５】
このような患者データベースは、典型的には、例えば電子カルテシステム等の当該情報表示装置とは異なる装置と共用されるが、当該情報表示装置専用に構築されてもよい。尚、患者データベースの構築方法には、公知の各種態様を適用可能であるので、その詳細についての説明は割愛する。
【００１６】
例えばメモリ、プロセッサ等を備えてなる出力手段は、抽出された患者情報の少なくとも一部を疾病毎に、複数の疾病各々について特定された評点に応じて、画面上に配置する。
【００１７】
このため、画面上には、一の患者が罹っている複数の疾病各々に係る患者情報の少なくとも一部が一度に表示される。尚、各疾病に係る患者情報がどの程度画面上に表示されるかは、例えば画面のサイズ（解像度）、文字サイズ、検査値等の指標値の重要度、等に応じて適宜設定されてよい。
【００１８】
従って、一の患者の治療を複数の医師が担当している場合であっても、該複数の医師のうち一の医師が、例えば他の医師が治療を担当している疾病についての病状や治療の進行具合を考慮して治療方針を決定したり、他の医師と打ち合わせをする前に、他の医師が治療を担当している疾病についての状況を比較的容易に確認したりすることができる。
【００１９】
本発明の情報表示装置の一態様では、前記出力手段は、前記特定された評点の高い疾病に係る患者情報ほど、前記画面の上部に配置する。
【００２０】
この態様によれば、評点の高い疾病（例えば主病、緊急性の高い疾病等）が、ユーザに注目されやすくなるような画面構成とすることができ、実用上非常に有利である。
【００２１】
本発明の情報表示方法は、上記課題を解決するために、疾病の種別、疾病の重症度、診療プロセス及び治療方法の少なくとも一つに応じた評点を規定する評点テーブルが格納されている記憶手段と、ユーザの入力を受け付け可能な入力手段と、を備える情報表示装置における情報表示方法であって、前記入力手段を介して一の患者が指定された際に、複数の患者各々に係る疾病及び治療状況を示す患者情報を含む患者データベースから、前記指定された一の患者に対応する患者情報を抽出すると共に、前記指定された一の患者が複数の疾病に罹っていることを条件に、前記抽出された患者情報及び前記評点テーブルに基づいて、前記複数の疾病各々の評点を特定する特定工程と、前記抽出された患者情報の少なくとも一部を疾病毎に、前記特定された評点に応じて、画面上に配置する出力工程と、を備える。
【００２２】
本発明の情報表示方法によれば、上述した本発明の情報表示方法と同様に、一の患者が現在罹っている複数の疾病についての治療状況等を一度に表示することができる。尚、本発明の情報表示方法についても、上述した本発明の情報表示装置に係る各種態様と同様の各種態様を採ることができる。
【００２３】
本発明のコンピュータプログラムは、上記課題を解決するために、疾病の種別、疾病の重症度、診療プロセス及び治療方法の少なくとも一つに応じた評点を規定する評点テーブルが格納されている記憶手段と、ユーザの入力を受け付け可能な入力手段と、を備える情報表示装置に搭載されたコンピュータを、前記入力手段を介して一の患者が指定された際に、複数の患者各々に係る疾病及び治療状況を示す患者情報を含む患者データベースから、前記指定された一の患者に対応する患者情報を抽出すると共に、前記指定された一の患者が複数の疾病に罹っていることを条件に、前記抽出された患者情報及び前記評点テーブルに基づいて、前記複数の疾病各々の評点を特定する特定手段と、前記抽出された患者情報の少なくとも一部を疾病毎に、前記特定された評点に応じて、画面上に配置する出力手段と、として機能させる。
【００２４】
本発明のコンピュータプログラムによれば、当該コンピュータプログラムを格納するＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等の記録媒体から、当該コンピュータプログラムを、情報表示装置に備えられたコンピュータに読み込んで実行させれば、或いは、当該コンピュータプログラムを、通信手段を介してダウンロードさせた後に実行させれば、上述した本発明の情報表示装置を比較的容易にして実現できる。これにより、上述した本発明の情報表示装置と同様に、一の患者が現在罹っている複数の疾病についての治療状況等を一度に表示することができる。
【００２５】
本発明の作用及び他の利得は次に説明する実施するための形態から明らかにされる。
【図面の簡単な説明】
【００２６】
【図１】第１実施形態に係る医療情報システムの構成を示すブロック図である。
【図２】第１実施形態に係るダッシュボードの一例である。
【図３】第１実施形態に係るダッシュボードにおける表示域の配置の一例である。
【図４】第１実施形態に係る疾病ダッシュボードマスタのデータ構造の一例である。
【図５】糖尿病に適用した場合の疾病ダッシュボードマスタのデータ構造の具体例の一つである。
【図６】第１実施形態に係るダッシュボードレイアウトマスタのデータ構造の一例である。
【図７】第１実施形態に係る表示域マスタのデータ構造の一例である。
【図８】第１実施形態に係る表示要素マスタのデータ構造の一例である。
【図９】第１実施形態に係る部品マスタのデータ構造の一例である。
【図１０】第１実施形態に係るセット項目マスタのデータ構造の一例である。
【図１１】第１実施形態に係る項目マスタのデータ構造の一例である。
【図１２】第１実施形態に係る表示候補マスタのデータ構造の一例である。
【図１３】第１実施形態に係るダッシュボード表示処理を示すフローチャートである。
【図１４】第１実施形態に係るタイムライン画面の一例である。
【図１５】第１実施形態に係る検査結果画面の一例である。
【図１６】第２実施形態に係る医療情報システムの構成を示すブロック図である。
【図１７】第２実施形態に係るサマリーダッシュボードの一例である。
【図１８】第２実施形態に係るスコアテーブルの一例である。
【図１９】第２実施形態に係るサマリーダッシュボード表示処理を示すフローチャートである。
【発明を実施するための形態】
【００２７】
本発明の情報表示装置に係る実施形態を、図面に基づいて説明する。本実施形態では、本発明の情報表示装置の一例として、医療情報システムを挙げる。
【００２８】
＜第１実施形態＞
本発明の情報表示装置に係る第１実施形態について、図１乃至図１５を参照して説明する。
【００２９】
（医療情報システムの構成）
第１実施形態に係る医療情報システム１の構成について、図１を参照して説明する。図１は、第１実施形態に係る医療情報システムの構成を示すブロック図である。
【００３０】
図１において、医療情報システム１は、管理サーバ１０及び端末装置２０が、共にネットワーク３０に収容されてなるシステムである。ネットワーク３０は、例えばインターネット等の広域ネットワークであってもよいし、例えばＬＡＮ（Ｌｏｃａｌ  Ａｒｅａ  Ｎｅｔｗｏｒｋ）等の挟域ネットワークであってもよい。
【００３１】
管理サーバ１０は、例えば氏名、性別、生年月日、既往歴、アレルギー等の患者に関する基本的な情報を格納する患者プロファイル１１と、例えば血液検査の結果、投薬履歴等の診察や治療に関する情報を格納する患者診療データ１２と、にアクセス可能に構成されている。
【００３２】
患者プロファイル１１及び患者診療データ１２は、典型的には、電子カルテシステムと共通であるが、当該医療情報システム１独自のものとして構築されてもよい。患者プロファイル１１及び患者診療データ１２は、管理サーバ１０の一部として構成されもよいし、該管理サーバ１０とは別個の装置に格納されてもよい。
【００３３】
管理サーバ１０は、更に、疾病ダッシュボードマスタ１３、ダッシュボードレイアウトマスタ１４、表示域マスタ１５、表示要素マスタ１６、部品マスタ１７、セット項目マスタ１８、項目マスタ１９及び表示候補マスタ４０各々にアクセス可能に構成されている。各種マスタについての詳細は後述する。
【００３４】
例えばパーソナルコンピュータ、タブレット端末等である端末装置２０において、ユーザにより一の患者が指定された際、指定された一の患者に関連する情報が、患者プロファイル１１及び患者診療データ１２各々から抽出され、例えば図２に示すような、画像が端末装置２０の画面上に表示される。
【００３５】
端末装置２０の画面上に表示される画像には、例えば患者名、患者ＩＤ、年齢、性別、疾病名等の基本的な情報、血圧等の時間経過を示すグラフ、疾病に係る着目すべき指標値、診断結果、治療法、投薬、合併症等が含まれている。つまり、端末装置２０の画面上には、指定された一の患者の状態や治療状況を一覧することができる画像が表示される。以降、端末装置２０の画面上に表示される画像（図２参照）を、適宜“ダッシュボード”と称する。
【００３６】
ダッシュボードは、図２に示したように、医療カルテ内に散らばって記載されている一の患者が現在罹っている疾病に関する情報（典型的には、最新情報）を一覧可能に表示するものである。
【００３７】
（ダッシュボード）
次に、ダッシュボードについて、図１及び図２に加え、図３乃至図１２を参照して、具体的に説明する。
【００３８】
ダッシュボードレイアウトマスタ１４は、例えば図３に示すような、複数のダッシュボードの雛型（テンプレート）各々を規定すべく、各ダッシュボードの雛型に含まれる表示域と、該表示域の画面上における表示位置及び表示サイズと、を互いに関連付ける情報により構築されている（図６参照）。
【００３９】
「表示位置」は、例えば画面上の座標により表される。「表示サイズ」は、画面横方向については、例えば画面の横幅に対する割合、比、百分率等により表され、画面縦方向については、例えば行数、ピクセル数等により表される。
【００４０】
尚、図６において、“ｄｂ−ａ２”は、ダッシュボードの雛型を識別するための識別子の一例である。「動的表示」については後述する。
【００４１】
疾病ダッシュボードマスタ１３は、疾病の分類及び患者の治療状況と、ダッシュボードの雛型との対応を規定する情報により構築されている（図４（ｂ）参照）。「疾病の分類」には、例えば成因（発症機序）による分類、病態（病期）による分類等が含まれる。
【００４２】
病気の種類が同じであっても成因や治療方法によって表示すべき指標等が異なることがある。このため、疾病ダッシュボードマスタ１３は、例えば図４（ａ）に示すように、病気の成因等に起因する分類と、治療方法とにより規定されるマトリクス上において、対応するダッシュボードの雛型（図４（ａ）では、識別子“ｄｂ−ａ１”、“ｄｂ−ｂ１”、…で表示）を決定した上で、構築すればよい。
【００４３】
具体的に糖尿病の場合を例に挙げると、図５（ａ）に示すように、「２型境界型」、「２型合併症なし」、「２型合併症あり」、「１型…」等の分類と、「食事療法」、「運動療法」、「経口薬療法」等の治療方法とにより規定されるマトリクス上において、ダッシュボードの雛型が決定される。その後、図５（ｂ）に示すようなダッシュボードマスタが構築される。
【００４４】
ところで、一の疾病に対して複数の治療が施される場合がある。このような場合に、推奨されるダッシュボードの雛型を明確にすべく、優先順位が付加されている（図４（ｂ）、図５（ｂ）参照）。尚、疾病ダッシュボードマスタ１３において、２以上の治療方法が採用されている場合（例えば治療１＋治療２、治療１＋治療２＋治療３等）に対応するダッシュボードの雛型が決定されていてもよい。
【００４５】
疾病の分類及び治療状況とダッシュボードの雛型とを関連付ける疾病ダッシュボードマスタ１３と、各ダッシュボードの雛型に含まれる複数の表示域各々を規定するダッシュボードレイアウトマスタ１４とを分けて構築することにより、例えば複数のダッシュボードの雛型各々の汎用性を向上させることができると共に、ダッシュボードレイアウトマスタ１４の容量を抑制することができ、実用上非常に有利である。
【００４６】
表示域マスタ１５は、各ダッシュボードの雛型に含まれる表示域と、該表示域に表示される表示要素とを互いに関連付ける情報により構築されている（図７参照）。本実施形態に係る「表示要素」は、端的に言えば、「見出し」である。表示内容については、後述する「部品」により決定される。
【００４７】
一の表示域に複数の表示要素が関連付けられている場合に、例えば表示要素の並び順を規定すべく、或いは例えば、図７に示すように、表示域の表示サイズと、表示要素とは直接には関連付けられていないため、一の表示域内に、関連付けられている表示要素が収まらない場合に、該一の表示域に優先的に表示される表示要素を規定すべく、優先順位が付加されている（図７参照）。
【００４８】
このような「優先順位」は、病状及び治療方法とは関係なく設定されてもよいし、病状及び治療方法を考慮して設定されてもよい。尚、第１実施形態に係る「病状」は、病気の種類によって起こる種々の現象（例えば熱が高い、発疹が出る、頭痛がする等）である症状に限らず、例えば病気が重い、軽い、危篤状態である等の容態をも含む概念である。
【００４９】
表示要素マスタ１６は、表示要素と、部品とを互いに関連付ける情報により構成されている（図８参照）。一の表示要素に複数の部品が関連付けられている場合に、例えば部品の並び順を規定すべく優先順位が付加されている。また、表示候補用分類も付加されている。
【００５０】
ここで、「表示候補用分類」は、表示要素の種別を示す分類であり、且つ各表示域に表示される候補を示す分類である。表候補用分類としては、例えばＳＯＡＰ（Ｓ（Ｓｕｂｊｅｃｔ）：主観的データ、Ｏ（Ｏｂｊｅｃｔ）：客観的データ、Ａ（Ａｓｓｅｓｓｍｅｎｔ）：評価、Ｐ（Ｐｌａｎ）：治療方針）、検体検査、診断、経口薬療法、等が挙げられる。
【００５１】
部品マスタ１７は、部品毎に、表示される項目又はセット項目と、該項目の表示形式とを互いに関連付ける情報により構築されている（図９参照）。表示形式としては、例えばテキスト形式、グラフ形式、画像形式、表形式等が挙げられる。尚、本実施形態に係る「項目」は、ダッシュボードの構成要素の最小単位である。「セット項目」は、複数の項目をまとめたものである。
【００５２】
項目マスタ１９は、項目と、項目名、タイプ及び長さとを互いに関連付ける情報により構築されている（図１１参照）。「タイプ」は、項目の性質や設定等を示す所謂「属性」を意味する。タイプとしては、例えば文字属性、数値属性等が挙げられる。「長さ」は、データ長を意味する。
【００５３】
セット項目マスタ１８は、セット項目と、該セット項目に含まれる複数の項目とを互いに関連付ける情報により構築されている（図１０参照）。
【００５４】
表示候補マスタ４０は、各ダッシュボードの雛型に含まれる表示域と、該表示域に係る表示候補用分類とを互いに関連付ける情報により構築されている（図１２参照）。つまり、表示候補マスタ４０は、各表示域についての表示候補用分類を規定する。
【００５５】
このように、疾病ダッシュボードマスタ１３、ダッシュボードレイアウトマスタ１４、表示域マスタ１５、表示要素マスタ１６、部品マスタ１７、セット項目マスタ１８、項目マスタ１９及び表示候補マスタ４０と、分散して情報を管理することにより、例えば各マスタのメンテナンスや更新を比較的容易に行うことができる。
【００５６】
端末装置２０において、ユーザにより患者が指定されると、端末装置２０は該指定された患者を示す信号を、ネットワーク３０を介して管理サーバ１０に送信する。該情報を受信した管理サーバ１０は、患者プロファイル１１及び患者診療データ１２を参照して、該指定された患者に係る疾病及び治療状況と、疾病ダッシュボードマスタ１３とに応じて、ダッシュボードの雛型を選択する。
【００５７】
次に、管理サーバ１０は、選択されたダッシュボードの雛型に含まれる表示域に係る情報を、ダッシュボードレイアウトマスタ１４から抽出する。これにより表示域のサイズ及び配置が決定される。
【００５８】
次に、管理サーバ１０は、各表示域に表示される表示要素に係る情報を表示域マスタ１５から抽出する。続いて、管理サーバ１０は、各表示要素に関連付けられた部品に係る情報を表示要素マスタ１６から抽出する。続いて、管理サーバ１０は、各部品に関連付けられた項目又はセット項目を部品マスタ１７から抽出する。
【００５９】
管理サーバ１０は、各項目に係る情報を項目マスタ１９から抽出する。部品にセット項目が関連付けられていた場合、管理サーバ１０は、セット項目に関連付けられた項目をセット項目マスタ１８から抽出した上で、項目マスタ１９から各項目に係る情報を抽出する。
【００６０】
次に、管理サーバ１０は、表示域の表示サイズ、各項目のタイプ、長さ及び表示形式、並びに、表示要素及び部品各々の優先順位、に基づいて、ダッシュボード上に表示すべき項目を決定する。
【００６１】
尚、各項目のサイズは、例えば次のように規定される。テキスト表示の項目の場合、画面横方向のサイズは、項目名長さと項目値長さとの和とされ、画面縦方向のサイズは、１行とされる。グラフ表示の項目の場合、予め複数のサイズ候補が決定されており、該複数のサイズ候補のうち一のサイズ候補のサイズとされる。
【００６２】
例えば図２に示すダッシュボードでは、表示要素「ＢＭＩ」に属する一の（部品−）項目「直近３回分の検査値（表示形式：折れ線グラフ）」及び他の（部品−）項目「最新の検査値（表示形式：テキスト）」が、表示域１（図３参照）に表示すべき項目として決定される。
【００６３】
或いは例えば、表示要素「ＨｂＡ１ａ」に属する（部品−）項目「直近半年間の検査値（表示形式：折れ線グラフ）」、及び表示要素「経口薬内容」に属する（部品−）項目「服用期間（表示形式：棒グラフ）」が、表示域７（図３参照）に表示すべき項目として決定される。
【００６４】
或いは例えば、表示要素「コントロール指標」に属する（部品−）セット項目「コントロール指標（表示形式：テキスト・横２段組）」に含まれる複数の項目「ＨｂＡ１ａ（最新検査値）」、「ＨｂＡ１ａ（目標値）」、「空腹時血糖値（最新検査値）」、「空腹時血糖値（目標値）」等が、表示域８（図３参照）に表示すべき項目として決定される。
【００６５】
次に、管理サーバ１０は、決定された項目に対応する情報を、患者プロファイル１１及び患者診療データ１２各々から抽出する。そして、管理サーバ１０は、端末装置２０上に、例えば図２に示すようなダッシュボードが表示されるように、ダッシュボードのレイアウト、項目等に係る情報と、患者に係る情報とを示す信号を、ネットワーク３０を介して端末装置２０に送信する。
【００６６】
尚、医療情報システム１は、表示すべき項目として、患者に係る疾病について管理すべき指標（コントロール指標）が含まれる場合には、診療行為に対する期待値等のデータベース（図示せず）を参照してコントロール指標に対する目標値を併せて表示する（図２参照）。
【００６７】
ここで特に、コントロール指標の検査値（図２では“最新値”）が目標値を上回っている場合、又は検査値と目標値とが乖離している場合、医療情報システム１は、例えば警告マーク（図２における点線円ａ参照）を表示する。このように構成すれば、ユーザ（特に、医師）に注意を促すことができ、実用上非常に有利である。
【００６８】
ところで、表示域マスタ１５を構築することは、例えば設定作業等の観点から比較的難しいことが、本願発明者の研究により判明している。
【００６９】
そこで、当該医療情報システム１は、表示域マスタ１５を用いなくともダッシュボードを表示可能な機能（以降、適宜“動的表示”と称する）を備えている。
【００７０】
動的表示において、管理サーバ１０により、ダッシュボードの雛型に含まれる表示域に係る情報がダッシュボードレイアウトマスタ１４から抽出されるまでは、上述した処理と同様である。
【００７１】
表示域に係る情報がダッシュボードレイアウトマスタ１４から抽出された後、管理サーバ１０は、表示候補マスタ４０、表示要素マスタ１６、部品マスタ１７、セット項目マスタ１８及び項目マスタ１９基づいて、仮想的な表示域マスタ（図示せず）を構築する。
【００７２】
具体的には例えば、ダッシュボードの雛型「ｄｂ−ａ２」の表示域１に係る表示候補用分類は、「表示候補用分類１」及び「表示候補用分類３」であるので（図１２参照）、管理サーバ１０は、表示要素マスタ１６から、「表示候補用分類１」が付加された表示要素（例えば図８における“表示要素１−部品１−優先順位”等）及び「表示候補用分離３」が付加された表示要素（例えば図８における“表示要素１−部品２−優先順位”等）を抽出して、表示域１に係る表示要素候補のリストを作成する。同様の処理により、各表示域に係る表示要素候補のリストが作成される。
【００７３】
尚、表示候補マスタ４０における「表示候補用分類」は、本発明に係る「第１種別情報」の一例である。表示要素マスタ１６における「表示候補用分類」は、本発明に係る「第２種別情報」の一例である。
【００７４】
次に、管理サーバ１０は、例えば表示要素１に関連付けられた部品１に対応する項目１に係る情報を、部品マスタ１７を参照しつつ項目マスタ１９から抽出する。部品マスタ１７及び項目マスタ１９が（必要があればセット項目マスタ１８も）参照され、同様の処理により、各表示要素に関連付けられた部品に対応する一又は複数の項目に係る情報が抽出される。
【００７５】
次に、管理サーバ１０は、表示要素候補のリストを参照して、優先順位の高い表示要素から順に、表示域の表示サイズ、各項目のタイプ、長さ及び表示形式に基づいて、各表示域の表示サイズ内に収まる一又は複数の表示要素候補を、各表示域に表示すべき一又は複数の表示要素として決定する。
【００７６】
次に、管理サーバ１０は、上記決定された一又は複数の表示要素と、表示域とを関連付けることにより、仮想的な表示域マスタを構築する。
【００７７】
仮想的な表示域マスタが構築された後、管理サーバ１０は、該仮想的な表示域マスタ、表示要素マスタ１６、部品マスタ１７、セット項目マスタ１８及び項目マスタ１９を参照して、ダッシュボード上に表示すべき項目を特定し、該特定された項目に対応する情報を、患者プロファイル１１及び患者診療データ１２各々から抽出する。
【００７８】
次に、管理サーバ１０は、端末装置２０上にダッシュボードが表示されるように、ダッシュボードのレイアウト、項目等に係る情報と、患者に係る情報とを示す信号を、ネットワーク３０を介して端末装置２０に送信する。
【００７９】
このように構成すれば、例えばダッシュボードレイアウトマスタ１４に情報が追加された場合であっても、構築が比較的難しい表示域マスタ１５を再構築する必要がないので、実用上非常に有利である。
【００８０】
尚、動的表示により表示すべき項目が決定された場合、該決定された項目は、患者、ダッシュボードの雛型及び表示域と関連付けられた上で、例えば管理サーバ１０等に記憶される。そして、次回同じ患者が指定された際には、保存された情報に基づいて、端末装置２０上にダッシュボードが表示される。
【００８１】
ここで特に、患者が罹っている疾病についての分類や治療方法が変更された場合であっても、変更後の分類や治療方法に対応するダッシュボードの雛型が、変更前のダッシュボードの雛型と同じであれば、保存された情報に基づいて、端末装置２０上にダッシュボードが表示される。
【００８２】
上記では、選択されたダッシュボードの雛型に含まれる全ての表示域について動的表示が実施されているが、表示域毎に動的表示するか否かが判定され、動的表示すると判定された表示域についてのみ上述した方法により表示すべき項目が決定される場合もある。
【００８３】
（ダッシュボード表示処理）
上述の如く構成された医療情報システム１において実施されるダッシュボード表示処理について、図１３のフローチャートを参照して説明する。
【００８４】
図１３において、先ず、端末装置２０は、ユーザの指定に応じて、指定された患者を示す信号を、ネットワーク３０を介して管理サーバ１０に送信する（ステップＳ１０１）。次に、管理サーバ１０は、患者プロファイル１１及び患者診療データ１２を参照して、指定された患者に係る疾病及び治療状況と、疾病ダッシュボードマスタ１３とに応じて、ダッシュボードの雛型を選択する（ステップＳ１０２）。
【００８５】
次に、管理サーバ１０は、選択されたダッシュボードの雛型に含まれる表示域に係る情報を、ダッシュボードレイアウトマスタ１４から抽出する（ステップＳ１０３）。次に、管理サーバ１０は、動的表示をするか否かを判定する（ステップＳ１０４）。
【００８６】
ここで、管理サーバ１０は、表示域マスタ１５が存在しない若しくは表示域マスタ１５にアクセス不可であることを条件に、又は動的表示の設定がされている表示域（図６において“動的表示”という記載が付加されている表示域）であることを条件に、動的表示をすると判定する。或いは、管理サーバ１０は、動的表示の設定がされていない表示域（図６において“−”という記載が付加されている表示域）であって、該表示域に対応する表示域が表示域マスタ１５に含まれていないことを条件に、動的表示をすると判定する。
【００８７】
動的表示をしないと判定された場合（ステップＳ１０４：Ｎｏ）、管理サーバ１０は、各表示域に表示される表示要素に係る情報を表示域マスタ１５から抽出する（ステップＳ１０７）。続いて、管理サーバ１０は、各表示要素に関連付けられた部品に係る情報を表示要素マスタ１６から抽出する（ステップＳ１０８）。
【００８８】
次に、管理サーバ１０は、各部品に関連付けられた項目又はセット項目を部品マスタ１７から抽出する（ステップＳ１０９）。続いて、管理サーバ１０は、各項目に係る情報を項目マスタ１９から抽出する。或いは、管理サーバ１０は、セット項目に関連付けられた項目をセット項目マスタ１８から抽出した上で、各項目に係る情報を項目マスタ１９から抽出する（ステップＳ１１０）。
【００８９】
次に、管理サーバ１０は、表示域の表示サイズ、各項目のタイプ、長さ及び表示形式、並びに、表示要素及び部品各々の優先順位、に基づいて、ダッシュボード上に表示すべき項目を決定する（表示されるダッシュボードの表示レイアウトが決定される）（ステップＳ１１１）。
【００９０】
次に、管理サーバ１０は、決定された項目に対応する情報を、患者プロファイル１１及び患者診療データ１２各々から抽出する（ステップＳ１１２）。続いて、管理サーバ１０は、上記ステップＳ１１１の処理において決定された表示レイアウトに係る情報と、抽出された患者に係る情報とを示す信号を、ネットワーク３０を介して端末装置２０に送信する。端末装置２０は、受信した情報に基づいてダッシュボードを表示する（ステップＳ１１３）。
【００９１】
上述したステップＳ１０４の処理において、動的表示すると判定された場合（ステップＳ１０４：Ｙｅｓ）、管理サーバ１０は、選択されたダッシュボードの雛型に含まれる各表示域に係る表示候補用分類を、ダッシュボードレイアウトマスタ１４から抽出する（ステップＳ１０５）。
【００９２】
次に、管理サーバ１０は、表示候補マスタ４０、表示要素マスタ１６等に基づいて、仮想的な表示域マスタを構築する（ステップＳ１０６）。その後、管理サーバ１０は、上述したステップＳ１０７〜Ｓ１１３を実施する。
【００９３】
尚、仮想的な表示域マスタが構築される際には、上述の如く、各表示域の表示サイズ内に収まる一又は複数の表示要素候補が、各表示域に表示すべき一又は複数の表示要素として決定されるので、動的表示すると判定された表示域については、典型的には、上述したステップＳ１１１の処理は実施されない。しかしながら、動的表示であるか否かにかかわらず、全ての表示域について上述のステップＳ１１１の処理が実施されてもよい。
【００９４】
当該医療情報システム１によれば、例えば図２に示すようなダッシュボードを、端末装置２０のユーザに提供することができ、もって、該ユーザが患者に係る複数の診療情報を一覧することができる。
【００９５】
加えて、医療情報システム１によれば、患者の疾病及び治療方法に応じて、ダッシュボード内に表示される項目が自動的に選択されるので、実用上非常に有利である。
【００９６】
加えて、例えば図４に示すように、疾病毎に関連付けられているダッシュボードの雛型が異なるので、同一の患者についてのダッシュボードであっても、診療科（又は担当医）に応じて、ダッシュボード内に表示される項目が自動的に変更される。
【００９７】
このような構成は、例えばユーザ情報に診療科の情報を含めておき、一の患者が罹っている疾病のうち、ユーザ情報により示される診療科に該当する疾病、及びその疾病に係る治療方法に応じてダッシュボードの雛型が選択されるようにすれば実現可能である。
【００９８】
例えば図２に示すダッシュボードのグラフ部分においてドラッグ操作又はフリック操作が受け付けられた場合に、グラフの表示期間が変更されるように構成されてよい。この場合、ダッシュボード上に表示されている全てのグラフの表示期間が連動して変更されるように構成されてもよい。
【００９９】
或いは、例えば図２に示すダッシュボードにおいて、グラフ部分が選択（クリック、タップ等）された場合に、例えば図１４に示すような、タイムラインを示す画像が表示されてよい。図１４の上段のタイムライン上において期間が指定されると（図１４における点線円ｂ及びｂ´参照）、該指定された期間の詳細が下段に表示される。
【０１００】
或いは、例えば図２に示すダッシュボードにおいて、コントロール指標部分が選択された場合に、例えば図１５に示すような検査結果画面が表示されてよい。更に、該検査結果画面に表示されている数値等が編集可能に構成されていてもよい。
【０１０１】
＜第２実施形態＞
本発明の情報表示装置に係る第２実施形態について、図１６乃至図１９を参照して説明する。第２実施形態では、患者が複数の疾病に罹っている場合に、該複数の疾病についてのサマリを示す画面が表示される以外は、上述した第１実施形態と同様である。よって、第２実施形態について、第１実施形態と重複する説明を省略すると共に、図面上における共通箇所には同一符号を付して示し、基本的に異なる点についてのみ、図１６乃至図１９を参照して説明する。
【０１０２】
図１６において、医療情報システム２では、管理サーバ１０は、更に、スコアデータ４１にアクセス可能に構成されている。
【０１０３】
スコアデータ４１は、例えば図１７に示すような、疾病の病状、ステージ、分類、診療プロセス及び治療方法の少なくとも一つに応じたスコア（評点）を、疾病毎に規定する複数のスコアテーブルを含んで構築されている。
【０１０４】
具体的には例えば、「がん」について、良性腫瘍の場合のスコアは“０”であり、悪性腫瘍の場合のスコアは“２０”である。「がん」について、臨床診断のスコアは“２０”であり、手術のスコアは“４０”である。或いは、「糖尿病」について、２型境界型の場合のスコアは“１０”であり、２型合併症ありの場合のスコアは“４０”である。「糖尿病」について、食事療法のスコアは“３０”であり、経口薬療法のスコアは“３０”である。
【０１０５】
更に、「がん」について、悪性腫瘍の患者を臨床診断した場合（つまり、悪性腫瘍＋臨床診断）のスコアは“５０”である。「糖尿病」について、２型合併症有の患者に注射薬療法を施した場合（つまり、２型合併症あり＋注射薬療法）のスコアは“７０”である。
【０１０６】
尚、図１７において、スコアが規定されていない箇所（図１７の“−”参照）は、組み合わせがないことを示している（例えば、２型境界型糖尿病（即ち、糖尿病は発病していないが、正常でもない状態）では、合併症が発症することはないので、合併症治療が施されることはない）。
【０１０７】
このようなスコアデータは、例えば国際疾病分類等の公知の疾病管理に登録されている疾病全てについて用意される。各スコアは、例えば治療の難しい疾病程、疾病のステージが高い程、高度な治療法である程、高くなるように設定すればよい。
【０１０８】
端末装置２０において、ユーザにより一の患者が指定された際、管理サーバ１０は、指定された一の患者に関連する情報を、患者プロファイル１１及び患者診療データ１２各々から抽出する。
【０１０９】
この際、指定された一の患者が現在複数の疾病に罹っていることを条件に、管理サーバ１０は、該複数の疾病各々の病状、ステージ、分類、診療プロセス及び治療方法の少なくとも一つと、スコアデータ４１とを参照して、該複数の疾病各々についてのスコアを特定する。そして、管理サーバ１０は、特定されたスコアに応じて各疾病に係る診療データ等が配置された画像が、端末装置２０上に表示されるような信号を、該端末装置２０に送信する。
【０１１０】
この結果、例えば図１８に示すような画像（以降、適宜“サマリーダッシュボード”と称する）が端末装置２０上に表示される。サマリーダッシュボードでは、例えば画面の上から特定されたスコアの高い順に疾病が並べられる。尚、図１８では、乳がんについてのスコアが最も高く、心疾患についてのスコアが最も低い。
【０１１１】
スコアは、例えば治療の難しい疾病程、疾病のステージが高い程、高度な治療法である程、高くなるように設定されている。このため、主病に限らず、例えば治療の緊急性の高い疾病、病状の進行スピードが速い疾病、病状のステージが高い疾病等が、画面上の比較的目立つ位置に表示される。尚、第２実施形態に係る「スコア」は「優先度」と解釈されてよい。
【０１１２】
サマリーダッシュボードに表示される項目としては、例えば全身サマリ（身体所見）、並びに、各疾病についての現在の診療のフェーズ（診療プロセス）、経過年月（術後、発症後等）、診断名、重症度及び治療内容、等が挙げられる。
【０１１３】
サマリーダッシュボードでは、全身の状態が一目でわかるように、全身図に疾患の位置が表示される（図１８参照）。尚、位置表示が難しい疾患（例えば高血圧、脂質異常症、動脈硬化、精神疾患、認知症等）は、全身図とは別に表示される（図１８における点線円参照）。
【０１１４】
サマリーダッシュボードにおいて、一の疾病が選択された場合、該選択された一の疾病についてのダッシュボードが、端末装置２０上に表示される。具体的には例えば、図１８において「糖尿病」が選択された場合、例えば図２に示すようなダッシュボードが、端末装置２０上に表示される。
【０１１５】
（サマリーダッシュボード表示処理）
次に、上述の如く構成された医療情報システム２において実施されるサマリーダッシュボード表示処理について、図１９のフローチャートを参照して説明する。
【０１１６】
図１９において、先ず、端末装置２０は、ユーザの指定に応じて、指定された患者を示す信号を、ネットワーク３０を介して管理サーバ１０に送信する（ステップＳ２０１）。次に、管理サーバ１０は、患者プロファイル１１及び患者診療データ１２を参照して、指定された患者に係る疾病、病状及び治療状況等を取得する（ステップＳ２０２）。
【０１１７】
次に、管理サーバ１０は、指定された患者が複数の疾病に現在罹っているか否かを判定する（ステップＳ２０２）。指定された患者が複数の疾病に現在罹っていないと判定された場合（ステップＳ２０２：Ｎｏ）、管理サーバ１０は処理を終了する。この場合、上述したダッシュボード表示処理が実施されてもよい。
【０１１８】
他方、指定された患者が複数の疾病に現在罹っていると判定された場合（ステップＳ２０２：Ｙｅｓ）、管理サーバ１０は、各疾病についての病状及び治療状況等と、スコアデータ４１とに基づいて、複数の疾病各々のスコアを特定する（ステップＳ２０４）。続いて、管理サーバ１０は、特定されたスコアに基づいて、各疾病に係る診療データ等の画面上の配置順を決定する（ステップＳ２０５）。
【０１１９】
次に、管理サーバ１０は、決定された配置順に係る情報と、指定された患者に係る情報（診療データ等含む）とを、ネットワーク３０を介して端末装置２０に送信する。端末装置２０は、受信した情報に基づいてサマリーダッシュボードを表示する（ステップＳ２０６）。
【０１２０】
尚、指定された患者が現在罹っている疾病が一つである場合も、サマリーダッシュボードが表示されるように構成されてよい。
【０１２１】
第２実施形態に係る「患者プロファイル１１」及び「患者診療データ１２」は、本発明に係る「患者データベース」の一例である。第２実施形態に係る「スコアデータ４１」は、本発明に係る「評点テーブル」の一例である。第２実施形態に係る「管理サーバ１０」は、本発明に係る「特定手段」の一例である。第２実施形態に係る「管理サーバ１０」及び「端末装置２０」は、本発明に係る「出力手段」の一例である。第２実施形態に係る「端末装置２０」は、本発明に係る「入力手段」の一例である。
【０１２２】
本発明は、上述した実施形態に限られるものではなく、特許請求の範囲及び明細書全体から読み取れる発明の要旨或いは思想に反しない範囲で適宜変更可能であり、そのような変更を伴う情報表示装置及び方法、並びにコンピュータプログラムもまた本発明の技術的範囲に含まれるものである。
【符号の説明】
【０１２３】
１、２…医療情報システム、１０…管理サーバ、１１…患者プロファイル、１２…患者診療データ、１３…疾病ダッシュボードマスタ、１４…ダッシュボードレイアウトマスタ、１５…表示域マスタ、１６…表示要素マスタ、１７…部品マスタ、１８…セット項目マスタ、１９…項目マスタ、２０…端末装置、３０…ネットワーク、４０…表示候補マスタ、４１…スコアデータ
【図１】
0006286306.tif 000002
【図２】
0006286306.tif 000003
【図３】
0006286306.tif 000004
【図４】
0006286306.tif 000005
【図５】
0006286306.tif 000006
【図６】
0006286306.tif 000007
【図７】
0006286306.tif 000008
【図８】
0006286306.tif 000009
【図９】
0006286306.tif 000010
【図１０】
0006286306.tif 000011
【図１１】
0006286306.tif 000012
【図１２】
0006286306.tif 000013
【図１３】
0006286306.tif 000014
【図１４】
0006286306.tif 000015
【図１５】
0006286306.tif 000016
【図１６】
0006286306.tif 000017
【図１７】
0006286306.tif 000018
【図１８】
0006286306.tif 000019
【図１９】
0006286306.tif 000020